(57)【要約】      （修正有）【課題】胸の谷間に集中して流れ出る汗を効率的に吸収すると共に、交換容易性・装着容易性・装着安定性が得られる汗吸収インナーブラパッドを提供する。【解決手段】ブラジャーＢの内側に装着される汗吸収インナーブラパッド１０であって、高分子吸水ポリマーから成る汗吸着材２０を表層シート体２１で包含してブラパッド帯１１が構成されると共に、該ブラパッド帯１１の上辺及び下辺が夫々稜線状を為して上方稜線部２２及び下方稜線部２３が形成され、且つ、中央部が両端部に対して幅広に形成されることで所定長さ及び幅を有する略円弧状に形成されて成り、該ブラパッド帯１１の裏面にはブラジャーＢへの装着手段２４が備えられる。【選択図】図１
2020084381.tif 000002
【特許請求の範囲】
【請求項１】
ブラジャーＢの内側に装着される汗吸収インナーブラパッド１０であって、
高分子吸水ポリマーから成る汗吸着材２０を表層シート体２１で包含してブラパッド帯１１が構成されると共に、該ブラパッド帯１１の上辺及び下辺が夫々稜線状を為して上方稜線部２２及び下方稜線部２３が形成され、且つ、中央部が両端部に対して幅広に形成されることで所定長さ及び幅を有する略円弧状に形成されて成り、
該ブラパッド帯１１の裏面にはブラジャーＢへの装着手段２４が備えられて成ることを特徴とする汗吸収インナーブラパッド１０。
【請求項２】
前記上方稜線部２２が、複数の凹凸状を為す波形に形成されて成ることを特徴とする請求項１に記載の汗吸収インナーブラパッド１０。
【請求項３】
前記下方稜線部２３が、複数の凹凸状を為す波形に形成されて成ることを特徴とする請求項１または請求項２に記載の汗吸収インナーブラパッド１０。
【請求項４】
前記ブラパッド帯１１の表面所定箇所に、ブラジャーＢに対する装着位置を決定するための一乃至複数の位置決め表記２５が付されて成ることを特徴とする請求項から請求項３のいずれかに記載の汗吸収インナーブラパッド１０。
【請求項５】
前記ブラパッド帯１１の裏面において、表層シート体２１と装着手段２４との間に樹脂フィルム２６が介在されて成ることを特徴とする請求項１乃至請求項４のいずれかに記載の汗吸収インナーブラパッド１０。
【請求項６】
前記ブラパッド帯１１における表層シート体２１あるいは汗吸着材２０のいずれか一方若しくは両方に、清涼感を付与するメントールを主成分とする清涼成分あるいは芳香を付与する香料２７のいずれか一方若しくは両方が塗布あるいは含浸されて成ることを特徴とする請求項１乃至請求項５のいずれかに記載の汗吸収インナーブラパッド１０。
【請求項７】
前記ブラパッド帯１１における表層シート体２１に、銀ナノ粒子２８を担持させて成ることを特徴とする請求項１乃至請求項６のいずれかに記載の汗吸収インナーブラパッド１０。
【請求項８】
前記ブラパッド帯１１の表面に、エンボス加工２９が施されて成ることを特徴とする請求項１乃至請求項７のいずれかに記載の汗吸収インナーブラパッド１０。
【発明の詳細な説明】
【技術分野】
【０００１】
本発明は、インナーブラパッドに関し、詳しくは、女性の胸部に流れ出る汗を効率的に吸収し得る汗吸収インナーブラパッドに関するものである。
【背景技術】
【０００２】
夏場や高温の運動時などにおいて、人は首筋から胸部にかけて多くの汗を発汗する。この人間における発汗作用は、汗が蒸発するときの気化熱により人体の体温を下げるための必要な生理現象であって、発汗自体を防ぐことは熱中症の発症など人体に悪影響を及ぼすため、決して好ましいことではない。しかしながら、汗を放置すると、その湿気により細菌の増殖を招いて独特の臭気を伴うこととなり、特に女子においてブラジャーを着用しているときには、汗が首筋から胸部にかけて略密閉空間にこもって容易に気化しないことから、経時的に臭気が増加していくと共に、ブラジャー内が湿って不快感を伴う状態となっていた。
【０００３】
このような吹き出た汗による不快感を防御すべく、ブラジャーの内側に装着され、該ブラジャーを着用した人の首筋から胸部にかけて吹き出る汗を拭い取る汗吸収用のパッドが、従来から多く提案されている。
【０００４】
かかる従来の提案としては、例えば、胸の谷間の汗を吸い取る汗取りシートであって、胸のアンダーバスト部分の汗を吸い取ることができずに、汗の臭いを発したりブラジャーなどの肌着がぬれたりして、不快感を感じること及びブラジャーなどの肌着の摩擦による皮膚への負担を解消することができる「胸汗パッド」（特許文献１参照）が提案され、公知技術となっている。具体的には、胸の谷間の汗と胸のアンダーバスト部分の汗を吸収することができる形状が保たれる芯地を設け、さらに芯地の内側（直接肌に接触する面）と芯地の外側（ブラジャーなどの肌着内側に接触する面）は、汗を吸湿することができる肌ざわりの良い肌になじむ布地からなる構成を採るものである。
【０００５】
しかしながら、かかる「胸汗パッド」の提案は、汗の吸着エリアがアンダーバスト部分に限定されていることから、首筋から胸部にかけて発汗する多くの汗を吸収することができず、バスト部内に汗が滞留して肌触りが不快な状態となる、といった問題があるものであった。
【０００６】
また、ブラジャーやショーツの内面側に配置して肌に密着状に装着可能であって、ブラジャーやショーツが汗で濡れるのを防止し、衣服の外部への影響を抑え、しかもブラジャーやショーツを装着した状態であっても取外しを可能とする「汗吸収体」（特許文献２参照）が提案され、公知技術となっている。具体的には、汗吸収手段がブラジャーとは別体で吸水性のある膜状体からなる汗吸収体であって、少なくともブラジャーの左右のカップ部の内面側に配置可能な左右のカップ対応部を有し、前記ブラジャーを装着した状態でブラジャーにより左右のカップ対応部を胸部の乳部に密着状に保持可能にした構成を採るものである。
【０００７】
しかしながら、かかる「汗吸収体」の提案は、汗吸収体自体がブラジャーとは別体に重ねて装着されることから、装着時における着心地が所謂「ゴワゴワ」した二重重ねとなって、着心地が悪いと共に、上着の形状が崩れて外観優美性が劣る、といった問題があるものであった。
【０００８】
さらに、従来の提案としては、補正機能を妨げず、装着ブラジャーと胸部の間に挿入後、安定した状態で胸部の汗を効率よく取ることができる「ブラジャー装着時の胸部用吸汗パッド」（特許文献３参照）が提案され、公知技術となっている。具体的には、装着時のブラジャー前中心部と胸部の間に挿入して納まる寸法とし、汗の吸汗層の中布に厚みを設け、表布で挟み尖端の下部と曲線を有する上部の形状に形成し、尖った下部を起点とした末広がり状のステッチを有した後、挟み留め部を有し、小型挟み留め具を設けることができる構成を採るものである。
【０００９】
しかしながら、かかる「ブラジャー装着時の胸部用吸汗パッド」の提案は、胸部用吸汗パッドを胸部の谷間に挿入して汗を吸収する構造であるため、首筋から胸部にかけて発汗する多くの汗を万遍なく均等に吸収することができない、といった問題があるものであった。
【００１０】
またさらに、着用するブラジャーの内側下部に吸収パッドを取り付け、汗を吸収させ、使用後は取り外して使い捨てにできる「汗取りパッド」（特許文献４参照）が提案され、公知技術となっている。具体的には、ブラジャー内側のアンダーバスト部分に装着する汗取り吸収パッドであって、ブラジャー前面から両脇部分までカバーする略テープ状となっており、上部には複数の切れ込みを入れてカップの丸みに合わせて密着できる形状を有し、肌に密着する汗吸収層と吸収した汗をブラジャーに移動させないための防水層とブラジャー内側に取り付けるための両面粘着部分からなり、該汗取り吸収パッドの上部には、左右方向中心部にハート形の突部部分を設けることにより、左右のカップの間の汗を吸収できる構成を採るものである。
【００１１】
しかしながら、かかる「汗取りパッド」の提案は、汗の吸着エリアがアンダーバスト部分に限定されることにより、首筋から胸部にかけて発汗する多くの汗を吸収することができず、バスト部内に汗が滞留して肌触りが不快な状態となる、といった問題があるものであった。
【００１２】
さらにまた、汗取りパット布を縫着し、ブラジャーの持つ機能を何らそこねずに、着用時の脇の下から滲み出る汗を吸収させ、衣服への発汗からの汚れを防止可能な「汗取りパッド付ブラジャー」（特許文献５参照）が提案され、公知技術となっている。具体的には、ブラジャー本体に、表布として伸縮性ポリエステル芯地コットン布１００％地、裏面布としてテビロンメッシュの親水性ナイロン地を使用した、汗取りパッド布を縫着する構成を採るものである。
【００１３】
しかしながら、かかる「汗取りパッド付ブラジャー」の提案は、主に脇の下の汗の吸収を図る構造であるため、首筋から胸部にかけて発汗する多くの汗を吸収することができず、バスト部内に汗が滞留して肌触りが不快な状態となる、といった問題があるものであった。
【００１４】
そしてまた、汗取りパッドをブラジャーのカップの内側に挿入して汗を吸収させる「ブラジャー用汗取りパッド」（特許文献６参照）が提案され、公知技術となっている。具体的には、ブラジャーのカップの下部内面に挿入されるパッド本体が、略半円形で上端より下端に向かって漸時肉厚に形成された吸水によってゲル化する自己架橋型ポリアクリル酸ナトリウムを含む吸収体と、この吸収体を包被し肌に接する面が通気性、非透水性シートで形成された外被材とよりなり、パッド本体外面にブラジャーの内面に着脱される着脱片を取り付けた構成を採るものである。
【００１５】
しかしながら、かかる「ブラジャー用汗取りパッド」の提案は、パッド本体がブラジャーのカップの下部内面に挿入される構造であるため、首筋から胸部にかけて発汗する多くの汗を吸収することができず、バスト部内に汗が滞留して肌触り悪くなる、といった問題があるものであった。
【００１６】
本出願人は、以上のような従来から提案されているブラジャー用の汗吸収パッドにおける問題点に着目し、胸の谷間に集中して流れ出る汗を効率的に吸収すると共に、交換容易性・装着容易性・装着安定性が得られ、さらに、汗の飛散防止機能を有する汗吸収インナーブラパッドを開発し、本発明における「汗吸収インナーブラパッド」の提案に至るものである。
【先行技術文献】
【特許文献】
【００１７】
【特許文献１】特開２０１６−２１１１２４号公報
【特許文献２】特開２００７−３１８４３号公報
【特許文献３】特開２００３−１５５６０２号公報
【特許文献４】登録実用新案第３１９１６３２号公報
【特許文献５】登録実用新案第３０３７７１５号公報
【特許文献６】公開実用新案平１−７４２１１号公報
【発明の概要】
【発明が解決しようとする課題】
【００１８】
本発明は、上記事情に鑑み、胸の谷間に集中して流れ出る汗を効率的に吸収すると共に、交換容易性・装着容易性・装着安定性が常時得られ、さらに、汗の飛散防止機能を有する汗吸収インナーブラパッドを提供することを課題とするものである。
【課題を解決するための手段】
【００１９】
上記課題を解決するため、本発明は、ブラジャーの内側に装着される汗吸収インナーブラパッドであって、高分子吸水ポリマーから成る汗吸着材を表層シート体で包含してブラパッド帯が構成されると共に、該ブラパッド帯の上辺及び下辺が夫々稜線状を為して上方稜線部及び下方稜線部が形成され、且つ、中央部が両端部に対して幅広に形成されることで所定長さ及び幅を有する略円弧状に形成されて成り、該ブラパッド帯の裏面にはブラジャーへの装着手が備えられて成る手段を採る。
【００２０】
また、本発明は、前記上方稜線部が、複数の凹凸状を為す波形に形成されて成る手段を採る。
【００２１】
さらに、本発明は、前記下方稜線部が、複数の凹凸状を為す波形に形成されて成る手段を採る。
【００２２】
またさらに、本発明は、前記ブラパッド帯の表面所定箇所に、ブラジャーに対する装着位置を決定するための一乃至複数の位置決め表記が付されて成る手段を採る。
【００２３】
さらにまた、本発明は、前記ブラパッド帯の裏面において、表層シート体と装着手段との間に樹脂フィルムが介在されて成る手段を採る。
【００２４】
そしてまた、本発明は、前記ブラパッド帯における表層シート体あるいは汗吸着材のいずれか一方若しくは両方に、清涼感を付与するメントールを主成分とする清涼成分あるいは芳香を付与する香料のいずれか一方若しくは両方が塗布あるいは含浸されて成る手段を採る。
【００２５】
またさらに、本発明は、前記ブラパッド帯における表層シート体に、銀ナノ粒子２８を担持させて成る手段を採る。
【００２６】
さらにまた、本発明は、前記ブラパッド帯の表面に、エンボス加工が施されて成る手段を採る。
【発明の効果】
【００２７】
本発明にかかる汗吸収インナーブラパッドによれば、流れ出る汗を効率的に吸収するだけでなく、着用者の体形に合わせて容易に取り付け取り外しができる、といった優れた効果を奏する。
【００２８】
また、本発明にかかる汗吸収インナーブラパッドによれば、装着手段として粘着テープを使用することによって、ブラジャーの内側にワンタッチで安定的に装着することができる、といった優れた効果を奏する。
【００２９】
さらにまた、本発明にかかる汗吸収インナーブラパッドによれば、炎天下のスポーツ応援観戦時、または競技中、人の首筋から胸部にかけての汗の飛散を防止することができると共に、ブラパッド帯に吸水材料を内蔵することで、その気化熱を利用して、着用者の首筋から胸部にかけて長時間清涼感を保つことができる、といった優れた効果を奏する。
【００３０】
さらに、本発明にかかる汗吸収インナーブラパッドによれば、高分子吸水ポリマーから成る汗吸着材を表層シート体で包含して、中央部が両端部に対して幅広に形成されることで所定長さ及び幅を有する略円弧状のブラパッド帯に成形して成ることによって、胸の谷間に集中して流れ出る汗を効率的に吸収することができる、といった優れた効果を奏する。
【００３１】
またさらに、本発明にかかる汗吸収インナーブラパッドによれば、ブラパッド帯における表層シート体あるいは汗吸着材のいずれか一方若しくは両方に、清涼感を付与するメントールを主成分としエリスリトールまたはキシリトール等の多糖類を組み合わせた清涼成分が塗布あるいは含浸されることによって、常時清涼感が得られると共に、冷感作用ならびに吸熱作用が同時に得られる、といった優れた効果を奏する。
【００３２】
そしてまた、本発明にかかる汗吸収インナーブラパッドによれば、位置決め表記が付されていると共に、該位置決め表記が少なくともブラパッド帯の長さ方向略中央箇所に付されることによって、取り付け位置が正確且つ容易に得られる、といった優れた効果を奏する。
【００３３】
さらにまた、本発明にかかる汗吸収インナーブラパッドによれば、ブラパッド帯の裏面であって表層シート体と装着手段との間に樹脂フィルムを介在させることで、汗による装着手段の装着力（粘着力）の低下を防止することができると共に、吸収した汗が首筋から胸部にかけて染み出るのを防止し、さらにブラパッド帯を胸部から外す際に、汗の吸収により強度の弱まった表層シート体が破れてしまうのを防ぐことができる、といった優れた効果を奏する。
【００３４】
そしてまた、本発明にかかる汗吸収インナーブラパッドによれば、香料が塗布あるいは含浸されることによって、汗の臭いを香料でかき消すことができる、といった優れた効果を奏する。
【００３５】
またさらに、本発明にかかる汗吸収インナーブラパッドによれば、ブラパッド帯における表層シート体に、銀ナノ粒子を担持させることによって、抗菌作用ならびに消臭作用が得られる、といった優れた効果を奏する。
【００３６】
さらにまた、本発明にかかる汗吸収インナーブラパッドによれば、ブラパッド帯の表面がエンボス加工されることによって、ズレ防止ならびに胸部に常時安定した装着感が得られると共に、多量の汗によっても表層シート体が着用者の胸部に引っ付くことなく、快適な使用に資する、といった優れた効果を奏する。
【図面の簡単な説明】
【００３７】
【図１】本発明にかかる汗吸収インナーブラパッドの実施形態を示す説明図である。（実施例１）
【図２】本発明にかかる汗吸収インナーブラパッドに付帯される機能の実施形態を示す説明図である。（実施例２）
【図３】本発明にかかる汗吸収インナーブラパッドの他の実施形態を示す説明図である。（実施例３）
【図４】本発明にかかる汗吸収インナーブラパッドの他の実施形態を示す説明図である。（実施例４）
【発明を実施するための形態】
【００３８】
本発明にかかる汗吸収インナーブラパッド１０は、ブラジャーＢの内側に装着される汗吸収インナーブラパッド１０であって、高分子吸水ポリマーから成る汗吸着材２０を表層シート体２１で包含してブラパッド帯１１が構成されると共に、該ブラパッド帯１１の上辺及び下辺が夫々稜線状を為して上方稜線部２２及び下方稜線部２３が形成され、且つ、中央部が両端部に対して幅広に形成されることで所定長さ及び幅を有する略円弧状に形成されて成り、該ブラパッド帯１１の裏面にはブラジャーＢへの装着手段２４が備えられて成る手段を採ったことを最大の特徴とする。
以下、本発明にかかる汗吸収インナーブラパッド１０の実施形態を、図面に基づいて説明する。
【００３９】
尚、本発明にかかる汗吸収インナーブラパッド１０は、以下に述べる実施例に限定されるものではなく、本発明の技術的思想の範囲内、すなわち同一の作用効果を発揮できる形状や寸法等の範囲内で、適宜変更することができる。
【実施例１】
【００４０】
図1は、本発明にかかる汗吸収インナーブラパッドの実施形態を示す説明図であり、（ａ）は全体図、（ｂ）は断面説明図、（ｃ）は装着状態を示す説明図である。
本発明にかかる汗吸収インナーブラパッド１０は、ブラジャーＢの内側に装着され、ブラパッド帯１１によって汗を吸収するインナーブラパッドである。
【００４１】
ブラパッド帯１１は、上辺及び下辺が夫々稜線状を為して上方稜線部２２及び下方稜線部２３が形成され、且つ、中央部が両端部に対して幅広に形成されることで所定長さ及び幅を有する略円弧状に形成されている。
【００４２】
このように、ブラパッド帯１１の中央部が両端部に対して幅広に形成されることによって、胸の谷間に集中して流れ出るより多くの汗を、幅広箇所により効率的に吸収することができる。
【００４３】
上記ブラパッド帯１１の材質としては、例えば、不織布によって形成される表層シート体２１と、ジェルまたは粒子状の高分子吸水ポリマーによって形成される汗吸着材２０とによって構成され、汗吸着材２０が袋状の表層シート体２１に内包されて成形される。
【００４４】
表層シート体２１は、例えば不織布によって形成される二層構造を備えており、当該不織布の上層は汗を素早く吸収し且つ汗の逆戻りを防止するため、常に乾燥状態に近い肌触り感覚を得ることができるもので、その材質としてはポリオレフィン素材が好適に採用されるが、その他ポリウレタン系の素材でも構わない。また、当該不織布の下層は汗を素早く吸収し且つ多量の水を吸収する役割を持つもので、その材質としてはレーヨンが好適に採用されるが、その他パルプやＰ Ｅ Ｔ、ウレタン等の素材を採用することもできる。
【００４５】
汗吸着材２０は、ジェルまたは粒子状の高分子吸水ポリマーによって形成されて成る。具体的には、吸水量(吸水倍率)や吸水速度、保水性、徐放性、増粘性、凝集力、耐塩基性、耐候性などの特性に優れたポリアクリル酸ナトリウムを顆粒状またはゼリー状にした高吸水性高分子素材が使用される。
【００４６】
装着手段２４は、ブラパッド帯１１の裏面に備えられ、該装着手段２４を介してブラジャーＢの内側の前方にブラパッド帯１１が装着されることとなる。かかる装着手段２４の具体的構成については、特に限定するものではなく、例えばブラジャーＢの内側所定箇所に係止可能なフックやボタン等の係止手段や、粘着テープによる貼着手段などが採用される。
【００４７】
尚、かかる装着手段２４について、粘着テープによる貼着手段を採用することが望ましい。すなわち、粘着テープは、ブラジャーＢ自体に何ら加工が必要なく、且つ、ブラジャーＢの何処にでも貼着することができるもので、当接する箇所が明確であるブラジャーＢ以外の装着具（例えばハンカチや手ぬぐい、タオルなど）の任意の箇所にも、粘着テープを介して自在にブラパッド帯１１を貼着することが可能となり、使用範囲が広がることとなる。
【００４８】
以上の構成から成る本発明にかかる汗吸収インナーブラパッド１０は、炎天下の運動時や高温下での作業時において、着用者の首筋や胸部から流れ出る汗を単に吸収するだけでなく、胸の谷間に集中して流れ出るより多くの汗を効率的に吸収することができ、また、どのようなブラジャーＢにも容易に取り付け取り外しが可能で、ブラジャーＢの内側の前部や後部にワンタッチで貼着することができるため、汗の不快な臭いや胸部の蒸れを効果的に抑制することが可能になる。
【実施例２】
【００４９】
次に、図２に基づき、本発明にかかる汗吸収インナーブラパッド１０に付帯される種々の機能の実施形態をについて説明する。尚、実施例１と同様の部分は説明を省略する。
図２は、本発明にかかる汗吸収インナーブラパッド１０に付帯される機能の実施形態を示す説明図であり、（ａ）は位置決め表記２５が付されて成る実施例を示している。
すなわち、図示の様に、ブラパッド帯１１の表面所定箇所に、ブラジャーＢに対する装着位置を決定するための一乃至複数の位置決め表記２５が付されて成る態様を採用し得ることができる。
【００５０】
位置決め表記２５は、ブラパッド帯１１の表面所定箇所に付されるもので、ブラジャーＢに対する装着位置を決定するべく、ブラパッド帯１１の表面において一乃至複数の位置決め表記２５が付されている。
尚、図面では、ブラパッド帯１１の表面略中央箇所に一つの位置決め表記２５を付した場合について示している。該位置決め表記２５は、ブラジャーＢの内側の任意に位置に正確に装着するために設けられる目印であって、その形態はマークや絵柄、織り柄、色彩などを用いることができ、特に限定はされない。
【００５１】
ところで、かかる位置決め表記２５について、少なくともブラパッド帯１１の長さ方向略中央箇所に付されて成ることが望ましい。すなわち、ブラパッド帯１１の中心箇所が判ることによって、ブラジャーＢに対する装着位置も容易に決定し得ることとなる。
【００５２】
以上ように構成される本発明の汗吸収インナーブラパッド１０は、図に示す様に、ブラパッド帯１１の裏面に存する装着手段２４を介して、位置決め表記２５を参照しつつブラジャーＢの内側の前方に装着して使用される。その状態にてブラパッド帯１１の表面は、ブラジャーＢを着用した人の胸部と当接することとなり、着用者の首筋から胸部から出る汗を随時吸収して閉じ込めることができる。
【００５３】
図２（ｂ）は、表層シート体２１と装着手段２４との間に樹脂フィルム２６が介在されて成る実施例についての説明図である。
すなわち、汗吸収インナーブラパッド１０におけるブラパッド帯１１の裏面において、表層シート体２１と装着手段２４との間に樹脂フィルム２６が介在されて成る態様を採用し得ることができる。
【００５４】
樹脂フィルム２６は、ビニールなど樹脂製のフィルム地から成り、ブラパッド帯１１の裏面に貼着されて装着手段２４との間に介在される。
尚、該樹脂フィルム２６の形状については、特に限定するものではないが、好ましくはブラパッド帯１１の裏面全体を被覆可能な形状であることが望ましい。
【００５５】
以上ように構成される本発明の汗吸収インナーブラパッド１０は、樹脂フィルム２６が表層シート体２１から装着手段２４への汗の通過を遮断するため、汗による装着手段２４の装着力（粘着力）の低下を防止できると共に、汗がブラジャーＢ内に染み出るのを防止することもでき、さらには、樹脂フィルム２６を介してブラパッド帯１１への装着手段２４の装備を容易にする。
【００５６】
図２（ｃ）は、清涼成分２７あるいは香料２７を塗布あるいは含浸する実施例についての説明図である。
本発明にかかる汗吸収インナーブラパッド１０において、表層シート体２１あるいは汗吸着材２０のいずれか一方若しくは両方には、清涼成分２７を塗布あるいは含浸することが考え得る。すなわち、ブラパッド帯１１が単に汗を吸収するのみならず、当接する人体の各部位に対し清涼感を付与することも可能にするものである。
尚、該清涼成分２７については、特に限定はないが、例えばメントールを主成分とし、その他エリスリトールやキシリトール等の多糖類が組み合わさって成る。
【００５７】
また、上記清涼成分２７と共にあるいは清涼成分２７に代わって、香料２７を塗布あるいは含浸することも考え得る。すなわち、香料２７は芳香作用を付与するものであって、汗の臭いを該香料２７でかき消すことで、不快な臭いを抑制することができる。
尚、塗布あるいは含浸する香料２７については、特に限定はなく、使用者の好みによって適宜決定すれば足りるものであるが、例えば脳を刺激し運動向上能力や集中力増大能力を増大させるとされるコーヒー豆の香りや、精神安定作用のあるハーブ等から成る香料２７が採用される。
【００５８】
図２（ｄ）は、銀ナノ粒子２８を担持させる実施例についての説明図である。
本発明にかかる汗吸収インナーブラパッド１０において、ブラパッド帯１１における表層シート体２１に、銀ナノ粒子２８を担持させる手段を採用し得る。
【００５９】
銀ナノ粒子２８は、ナノ銀、ナノ純銀などと呼ばれ、その構造としては球形が一般的だが、ひし形や薄いシート構造もよく見られる。また表面積が極端に大きいため、多くの配位子がナノ粒子に配位することができ、通常粒径１−１００ｎｍの銀のナノ粒子で構成される。該銀ナノ粒子２８は、イオンを低い濃度で持続的に放出する性質によって、さまざまな細菌に対して抗菌作用を示すことから、抗菌性コーティング剤などに使用されるものである。
【００６０】
かかる銀ナノ粒子２８をブラパッド帯１１における表層シート体２１に担持させることによって、該銀ナノ粒子２８が有する抗菌作用により汗が細菌と反応することを抑え、これにより汗の臭いの発生を抑制することが可能となる。
【００６１】
以上ように構成される本発明の汗吸収インナーブラパッド１０は、抗菌効果ならびに汗臭防止効果が得られることから、衛生的なブラジャーＢならびに汗吸収インナーブラパッド１０の使用に資することとなる。
【００６２】
図２（ｅ）は、エンボス加工２９を施した実施例についての説明図である。
本発明にかかる汗吸収インナーブラパッド１０において、ブラパッド帯１１の表面にエンボス加工２９を施す態様を採用し得る。
【００６３】
エンボス加工２９は、ブラパッド帯１１の表面に施されるものであって、表層シート体２１をプレス加工することによって、連続する凹凸状に加工される。
尚、当該エンボス加工２９による凸部形状については特に限定はなく、図示の様な円形状のほか、四角その他の多角形状や、十字にクロスした形状などが採用し得る。
【００６４】
以上ように構成される本発明の汗吸収インナーブラパッド１０は、ブラパッド帯１１の表面がエンボス加工２９されることによって、ズレ防止ならびに胸部に常時安定した装着感が得られると共に、多量の汗によっても表層シート体２１が着用者の素肌に引っ付くことなく、快適な使用に資することとなる。
【実施例３】
【００６５】
本発明の他の実施形態を、図３に基づき説明する。上記実施例１乃至２と同様の部分は説明を省略する。
図３は、本発明にかかる汗吸収インナーブラパッド１０の他の実施形態を示す説明図である。
本発明にかかる汗吸収インナーブラパッド１０は、上方稜線部２２が、複数の凹凸状を為す波形に形成されて成る態様を採用し得る。
【００６６】
複数の凹凸状を為す波形とは、複数の凸部を形成することでできる波形状の形態を意味するもので、すなわち凹部は、隣り合う凸部間に自ずとできる窪み部分である。かかる凹凸状を為す波形の具体的形状及び凸部の数については、特に限定するものではないが、中央箇所に凸部を配し且つその左右に均等に凹部と凸部が連続して配される態様が望ましく、したがって、少なくとも３以上の凸部（凹部の数については２以上）が存する態様が好適である。
【００６７】
このように、本発明の汗吸収インナーブラパッド１０の上方稜線部２２が、複数の凹凸状を為す波形に形成されることによって、凹部箇所での折曲が容易となって、着用者のバストやブラジャーＢの膨らみに沿ってフィットする形状に変形して着用することが容易となる。また、多量の汗の吸収を要する場合に、表層シート体２１の湿潤により汗が上方稜線部２２に沿って左右端部方向へ流出することも想定されるが、複数の凹部が存することで、該凹部で汗の流出を防いで確実に汗を受け止めることが可能となって、効果的な汗吸収に資することとなる。
【実施例４】
【００６８】
本発明の他の実施形態を、図４に基づき説明する。上記実施例１乃至３と同様の部分は説明を省略する。
図４は、本発明にかかる汗吸収インナーブラパッド１０の他の実施形態を示す説明図である。
本発明にかかる汗吸収インナーブラパッド１０は、上方稜線部２２と併せて下方稜線部２３にも、複数の凹凸状を為す波形に形成されて成る態様を採用し得るものである。
【００６９】
下方稜線部２３における凹凸状を為す波形の具体的形状及び凸部の数については、上記実施例３（上方稜線部２２）と同様で特に限定するものではないが、上方稜線部２２の凹凸状と対称を為す様に配される態様、すなわち中央箇所に凸部を配し且つその左右に均等に凹部と凸部が連続して配される態様が望ましく、したがって、少なくとも３以上の凸部（凹部の数については２以上）が存する態様が好適である。
【００７０】
このように、本発明の汗吸収インナーブラパッド１０の下方稜線部２３が、上方稜線部２２と対称的に複数の凹凸状を為す波形に形成されることによって、上方の凹部と下方の凹部を結ぶ線が折れ筋となって折曲が容易となり、着用者のバストやブラジャーＢの膨らみに沿ってフィットする形状に変形して着用することがより容易となる。
【産業上の利用可能性】
【００７１】
本発明にかかる汗吸収インナーブラパッドは、着用者の首筋や胸部から流れ出る汗を効率的に吸収するだけでなく、どのような形状のブラジャーにも容易に着脱ができると共に、ブラジャーの内側の前部や後部にワンタッチで貼着することが可能であるため、汗の不快な臭いや胸部の蒸れを効果的に抑制することができると共に、首筋から胸部に掛けての汗の飛散を防止することも可能となる。したがって、本発明にかかる「汗吸収インナーブラパッド」の産業上の利用可能性は極めて大であるものと思料する。
【符号の説明】
【００７２】
１０    汗吸収インナーブラパッド
１１    ブラパッド帯
２０    汗吸着材
２１    表層シート体
２２    上方稜線部
２３    下方稜線部
２４    装着手段
２５    位置決め表記
２６    樹脂フィルム
２７    清涼成分／香料
２８    銀ナノ粒子
２９    エンボス加工
Ｂ    ブラジャー
【図１】
2020084381.tif 000003
【図２】
2020084381.tif 000004
【図３】
2020084381.tif 000005
【図４】
2020084381.tif 000006
【手続補正書】
【提出日】令和2年3月11日(2020.3.11)
【手続補正１】
【補正対象書類名】特許請求の範囲
【補正対象項目名】全文
【補正方法】変更
【補正の内容】
【特許請求の範囲】
【請求項１】
ブラジャー（Ｂ）の内側に装着される汗吸収インナーブラパッド（１０）であって、
高分子吸水ポリマーから成る汗吸着材（２０）を表層シート体（２１）で包含してブラパッド帯（１１）が構成されると共に、該ブラパッド帯（１１）の上辺及び下辺が夫々稜線状を為して上方稜線部（２２）及び下方稜線部（２３）が形成され、且つ、中央部が両端部に対して幅広に形成されることで所定長さ及び幅を有する略円弧状に形成され、該上方稜線部（２２）は複数の凹凸状を為す波形に形成されて成り、
該ブラパッド帯（１１）の裏面にはブラジャー（Ｂ）への装着手段（２４）が備えられて成ることを特徴とする汗吸収インナーブラパッド（１０）。
【請求項２】
前記下方稜線部（２３）が、複数の凹凸状を為す波形に形成されて成ることを特徴とする請求項１に記載の汗吸収インナーブラパッド（１０）。
【請求項３】
前記ブラパッド帯（１１）の表面所定箇所に、ブラジャー（Ｂ）に対する装着位置を決定するための一乃至複数の位置決め表記（２５）が付されて成ることを特徴とする請求項１または請求項２に記載の汗吸収インナーブラパッド（１０）。
【請求項４】
前記ブラパッド帯（１１）の裏面において、表層シート体（２１）と装着手段（２４）との間に樹脂フィルム（２６）が介在されて成ることを特徴とする請求項１乃至請求項３のいずれかに記載の汗吸収インナーブラパッド（１０）。
【請求項５】
前記ブラパッド帯（１１）における表層シート体（２１）あるいは汗吸着材（２０）のいずれか一方若しくは両方に、清涼感を付与するメントールを主成分とする清涼成分あるいは芳香を付与する香料（２７）のいずれか一方若しくは両方が塗布あるいは含浸されて成ることを特徴とする請求項１乃至請求項４のいずれかに記載の汗吸収インナーブラパッド（１０）。
【請求項６】
前記ブラパッド帯（１１）における表層シート体（２１）に、銀ナノ粒子（２８）を担持させて成ることを特徴とする請求項１乃至請求項５のいずれかに記載の汗吸収インナーブラパッド（１０）。
【請求項７】
前記ブラパッド帯（１１）の表面に、エンボス加工（２９）が施されて成ることを特徴とする請求項１乃至請求項６のいずれかに記載の汗吸収インナーブラパッド（１０）。
【手続補正２】
【補正対象書類名】明細書
【補正対象項目名】００３７
【補正方法】変更
【補正の内容】
【００３７】
【図１】本発明にかかる汗吸収インナーブラパッドの実施形態を示す説明図である。（実施例１）
【図２】本発明にかかる汗吸収インナーブラパッドに付帯される機能の実施形態を示す説明図である。（実施例２）
【図３】本発明にかかる汗吸収インナーブラパッドの他の実施形態を示す説明図である。（実施例３，４）
【手続補正３】
【補正対象書類名】明細書
【補正対象項目名】００４１
【補正方法】変更
【補正の内容】
【００４１】
ブラパッド帯１１は、上辺及び下辺が夫々稜線状を為して上方稜線部２２及び下方稜線部２３が形成され、且つ、中央部が両端部に対して幅広に形成されることで所定長さ及び幅を有する略円弧状に形成されている。
そして、上方稜線部２２は、複数の凹凸状を為す波形に形成されて成る。複数の凹凸状を為す波形とは、複数の凸部を形成することでできる波形状の形態を意味するもので、すなわち凹部は、隣り合う凸部間に自ずとできる窪み部分である。かかる凹凸状を為す波形の具体的形状及び凸部の数については、特に限定するものではないが、中央箇所に凸部を配し且つその左右に均等に凹部と凸部が連続して配される態様が望ましく、したがって、少なくとも３以上の凸部（凹部の数については２以上）が存する態様が好適である。
【手続補正４】
【補正対象書類名】明細書
【補正対象項目名】００４２
【補正方法】変更
【補正の内容】
【００４２】
このように、ブラパッド帯１１の中央部が両端部に対して幅広に形成されることによって、胸の谷間に集中して流れ出るより多くの汗を、幅広箇所により効率的に吸収することができる。
そして、上方稜線部２２が、複数の凹凸状を為す波形に形成されることによって、凹部箇所での折曲が容易となって、着用者のバストやブラジャーＢの膨らみに沿ってフィットする形状に変形して着用することが容易となる。また、多量の汗の吸収を要する場合に、表層シート体２１の湿潤により汗が上方稜線部２２に沿って左右端部方向へ流出することも想定されるが、複数の凹部が存することで、該凹部で汗の流出を防いで確実に汗を受け止めることが可能となって、効果的な汗吸収に資することとなる。
【手続補正５】
【補正対象書類名】明細書
【補正対象項目名】００６５
【補正方法】削除
【補正の内容】
【手続補正６】
【補正対象書類名】明細書
【補正対象項目名】００６６
【補正方法】削除
【補正の内容】
【手続補正７】
【補正対象書類名】明細書
【補正対象項目名】００６７
【補正方法】削除
【補正の内容】
【手続補正８】
【補正対象書類名】明細書
【補正対象項目名】００６８
【補正方法】変更
【補正の内容】
【００６８】
本発明の他の実施形態を、図３に基づき説明する。上記実施例１乃至２と同様の部分は説明を省略する。
図３は、本発明にかかる汗吸収インナーブラパッド１０の他の実施形態を示す説明図である。
本発明にかかる汗吸収インナーブラパッド１０は、上方稜線部２２と併せて下方稜線部２３にも、複数の凹凸状を為す波形に形成されて成る態様を採用し得るものである。
【手続補正９】
【補正対象書類名】図面
【補正対象項目名】全図
【補正方法】変更
【補正の内容】
【図１】
2020084381.tif 000007
【図２】
2020084381.tif 000008
【図３】
2020084381.tif 000009